(57)【要約】【課題】正確に照度を検出して照度の誤認識を防ぐことができる警報器を提供する。【解決手段】設置環境の異常を検出するとその旨の警報を発生する警報器１であって、警報器１の周囲を照らす常夜灯１７と、警報器１の周囲の照度を検出する照度検出部１４と、照度検出部１４により検出された照度が消灯判定値以上で消灯し、点灯判定値未満で点灯するように常夜灯１７を制御する制御部１９と、を備えている。制御部１９は、点灯判定値未満で点灯後における常夜灯１７の制御の際、消灯判定値を引き上げるか否かを決定する。消灯判定値は、第一判定値及び第二判定値の少なくとも一方である。制御部１９は、点灯判定値で点灯後における１回目の照度の判定において、照度検出部１４により検出された照度が引上判定値以上である場合、第一判定値を第二判定値に引き上げる。【選択図】図１
2020042930.tif 000002
【特許請求の範囲】
【請求項１】
設置環境の異常を検出するとその旨の警報を発生する警報器であって、
当該警報器の周囲を照らす常夜灯と、
当該警報器の周囲の照度を検出する照度検出部と、
前記照度検出部により検出された照度が消灯判定値以上で消灯し、点灯判定値未満で点灯するように前記常夜灯を制御する制御部と、
を備え、
前記制御部は、
前記照度検出部により検出された照度が前記点灯判定値未満となって点灯した後、前記消灯判定値を引き上げるか否かを決定する、
ことを特徴とする警報器。
【請求項２】
前記消灯判定値は、
第一判定値及び前記第一判定値よりも大きい第二判定値の少なくとも一方であり、
前記制御部は、
前記照度検出部により検出された照度が前記点灯判定値未満となって点灯した後における１回目の照度の判定において、前記照度検出部により検出された照度が引上判定値以上である場合、前記第一判定値を前記第二判定値に引き上げる、
ことを特徴とする請求項１に記載の警報器。
【請求項３】
前記消灯判定値は、
第一判定値及び前記第一判定値よりも大きい第二判定値の少なくとも一方であり、
前記制御部は、
前記照度検出部により検出された照度が前記点灯判定値未満となって点灯した後における照度の判定において、前記常夜灯に一定時間内に点灯と消灯とを繰り返す動作を行わせた場合、前記第一判定値を前記第二判定値に引き上げる、
ことを特徴とする請求項１に記載の警報器。
【請求項４】
設置環境の異常を検出するとその旨の警報を発生する警報器であって、
当該警報器の周囲を照らす常夜灯と、
当該警報器の周囲の照度を検出する照度検出部と、
前記照度検出部により検出された照度が消灯判定値以上で消灯し、点灯判定値未満で点灯するように前記常夜灯を制御する制御部と、
を備え、
前記制御部は、
当該警報器が設置された部屋の照明が点灯している間、前記照度検出部により検出された照度に基づき前記消灯判定値を設定可能であり、
当該警報器が設置された部屋の照明が消灯している間、前記照度検出部により検出された照度に基づき前記点灯判定値を設定可能である、
ことを特徴とする警報器。
【発明の詳細な説明】
【技術分野】
【０００１】
本開示は、警報器に関する。
【背景技術】
【０００２】
従来より、火災又はガス漏れを検出して警報を発生する警報器が広く利用されている。このような警報器には、例えば設置されている部屋が暗くなると常夜灯を点灯するものもある。よって、警報器の近辺に光を反射するような部材があれば、常夜灯の光が反射されて照度検出部に入ることで、警報器は部屋が明るくなったと誤認識することがある。そこで、任意の場所に設置できる無線機能を有する照度検出部を併用することで、部屋の明るさの誤認識を防ぐものが提案されている（例えば、特許文献１参照）。
【先行技術文献】
【特許文献】
【０００３】
【特許文献１】特開２００９−２３１０７１号公報
【発明の概要】
【発明が解決しようとする課題】
【０００４】
しかし、特許文献１に記載のような従来技術においても、無線機能を有する照度検出部の設置場所によっては、部屋の明るさを誤認識することがある。よって、上記従来技術では、常夜灯の正確な消灯制御ができない可能性がある。
【０００５】
本開示はこのような状況に鑑みてなされたものであり、常夜灯の正確な消灯制御をすることができるようにするものである。
【課題を解決するための手段】
【０００６】
本開示の第一の側面である警報器は、設置環境の異常を検出するとその旨の警報を発生する警報器であって、当該警報器の周囲を照らす常夜灯と、当該警報器の周囲の照度を検出する照度検出部と、前記照度検出部により検出された照度が消灯判定値以上で消灯し、点灯判定値未満で点灯するように前記常夜灯を制御する制御部と、を備え、前記制御部は、前記照度検出部により検出された照度が前記点灯判定値未満となって点灯した後、前記消灯判定値を引き上げるか否かを決定するものである。
【０００７】
また、本開示の第一の側面である警報器において、前記消灯判定値は、第一判定値及び前記第一判定値よりも大きい第二判定値の少なくとも一方であり、前記制御部は、前記照度検出部により検出された照度が前記点灯判定値未満となって点灯した後における１回目の照度の判定において、前記照度検出部により検出された照度が引上判定値以上である場合、前記第一判定値を前記第二判定値に引き上げる、ことが好ましい。
【０００８】
また、本開示の第一の側面である警報器において、前記制御部は、前記照度検出部により検出された照度が前記点灯判定値未満となって点灯した後における照度の判定において、前記常夜灯に一定時間内に点灯と消灯とを繰り返す動作を行わせた場合、前記第一判定値を前記第二判定値に引き上げる、ことが好ましい。
【０００９】
また、本開示の第一の側面である警報器において、設置環境の異常を検出するとその旨の警報を発生する警報器であって、当該警報器の周囲を照らす常夜灯と、当該警報器の周囲の照度を検出する照度検出部と、前記照度検出部により検出された照度が消灯判定値以上で消灯し、点灯判定値未満で点灯するように前記常夜灯を制御する制御部と、を備え、前記制御部は、当該警報器が設置された部屋の照明が点灯している間、前記照度検出部により検出された照度に基づき前記消灯判定値を設定可能であり、当該警報器が設置された部屋の照明が消灯している間、前記照度検出部により検出された照度に基づき前記点灯判定値を設定可能である、ことが好ましい。
【発明の効果】
【００１０】
本開示の一側面によれば、常夜灯の正確な消灯制御をすることができる。
【図面の簡単な説明】
【００１１】
【図１】本開示を適用した実施形態１に係る警報器１の機能構成の一例を示すブロック図である。
【図２】本開示を適用した実施形態１に係る警報器１の設置例を示す図である。
【図３】本開示を適用した実施形態１に係る常夜灯１７の制御テーブルを示す図である。
【図４】本開示を適用した実施形態１に係る照度と各判定値とに基づく常夜灯１７の点灯及び消灯の制御例を示す図である。
【図５】本開示を適用した実施形態１に係る常夜灯１７の制御例を説明するフローチャートである。
【図６】本開示を適用した実施形態２に係る警報器１の周囲の照度に応じて消灯判定値を記憶させる一例を示す図である。
【図７】本開示を適用した実施形態２に係る警報器１の消灯判定値及び点灯判定値の設定処理を説明するフローチャートである。
【図８】本開示を適用した実施形態３に係る照度検出部１４の検出結果の一例を示す図である。
【図９】本開示を適用した実施形態３に係る点滅処理を説明するフローチャートである。
【発明を実施するための形態】
【００１２】
以下、図面に基づいて本開示の実施形態を説明するが、本開示は以下の実施形態に限られるものではない。
【００１３】
実施形態１．
図１は、本開示を適用した実施形態１に係る警報器１の機能構成の一例を示すブロック図である。図２は、本開示を適用した実施形態１に係る警報器１の設置例を示す図である。警報器１は、ガス漏れ又は火災の発生を検出して警報を行うものである。警報器１は、台所又は厨房といった所定の監視領域に設置されており、警報器１の背面側に設けられた固定部材を介して壁面３１等に固定される。例えばガス漏れの検出対象が都市ガスといった空気よりも軽いガスである場合、警報器１は、住居内の天井近傍の所定位置に設置される。警報器１は、例えば商用電源等から供給される電力によって動作する。
【００１４】
警報器１は、操作部１１、火災検出部１２、ガス検出部１３、照度検出部１４、報知部１６、常夜灯１７及び制御部１９を備え、設置環境の異常を検出するとその旨の警報を発生するものである。操作部１１は、ユーザーの各種操作を受け付けるものであり、例えば各種ボタンから構成されている。火災検出部１２は、熱センサー及び煙センサーから構成される周知の火災センサーが用いられている。ガス検出部１３は、半導体ガスセンサー又は接触燃焼式ガスセンサー等から構成される周知のガスセンサーが用いられている。照度検出部１４は、フォトダイオード等から構成される周知の照度センサーが用いられている。報知部１６は、火災又はガス漏れを報知するものであり、例えば赤色ＬＥＤ（Ｌｉｇｈｔ  Ｅｍｉｔｔｉｎｇ  Ｄｉｏｄｅ）、白色ＬＥＤ又はスピーカー等から構成されている。常夜灯１７は、例えばＬＥＤから構成され、警報器１の周囲を照らす。制御部１９は、ＲＯＭ１９１、ＲＡＭ１９２及びＣＰＵ１９３から構成され、警報器１の各種機能を制御する。
【００１５】
警報器１は、図２に示すように、例えばステンレス鋼板３３により常夜灯１７の光が反射される。ステンレス鋼板３３により反射された反射光の照度は、照度検出部１４により検出される。ステンレス鋼板３３等のような部材から反射された反射光は、通常の反射光よりも明るいため、照度検出部１４が検出する照度は大きくなる。よって、照度検出部１４により検出された照度が、通常通りの消灯判定値以上であるか否かを判定する場合、そのままの消灯判定値では正しい判定結果とはならない。ステンレス鋼板３３等のような部材により照度検出部１４が検出する照度が大きくなっているのであれば、消灯判定値もオフセットをかける必要がある。すなわち、消灯判定値を引き上げる処理を実行する必要がある。そこで、常夜灯１７の制御テーブルの詳細につき、図３を用いて説明する。
【００１６】
図３は、本開示を適用した実施形態１に係る常夜灯１７の制御テーブルを示す図である。図３の一例では、点灯条件として照度が１Ｌｕｘ未満であるか否かを判定する制御が設定されている。１Ｌｕｘは、点灯判定値であって、数値は一例であり、特にこれに限定されるものではない。具体的には、照度検出部１４により検出される照度が点灯判定値未満であれば、常夜灯１７が点灯制御される。なお、以後の説明においても、１Ｌｕｘを点灯判定値の一例として説明する。
【００１７】
また、図３の一例では、消灯条件として、常夜灯１７が点灯して１秒後に照度検出部１４により検出される照度が３Ｌｕｘ以上である場合、照度が４Ｌｕｘ以上であるか否かを判定する制御が設定されている。また、消灯条件として、常夜灯１７が点灯して１秒後に照度検出部１４により検出される照度が３Ｌｕｘ未満である場合、照度が３Ｌｕｘ以上であるか否かを判定する制御が設定されている。消灯条件として設定される照度は、３Ｌｕｘ又は４Ｌｕｘであって、これらの数値は、消灯判定値である。消灯判定値は、第一判定値として３Ｌｕｘが設定され、第二判定値として第一判定値よりも大きい４Ｌｕｘが設定されている。
【００１８】
つまり、常夜灯１７が点灯してから１秒後に照度検出部１４により検出される照度が第一判定値以上であれば、消灯判定値として第二判定値が設定される。また、常夜灯１７が点灯してから１秒後に照度検出部１４により検出される照度が第一判定値未満であれば、消灯判定値として第一判定値が設定される。このように、消灯判定値は、第一判定値及び第二判定値の少なくとも一方が使用される。なお、消灯判定値は、第一判定値及び第二判定値だけでなく、多段階で複数の判定値が使用されてもよい。例えば、常夜灯１７の光を反射する部材ごとに、予め想定される照度の変位に応じた判定値を複数プリセットしておき、警報器１を設置する場所に応じて複数プリセットされたものの中から使用する判定値を選択してもよい。
【００１９】
図４は、本開示を適用した実施形態１に係る照度と各判定値とに基づく常夜灯１７の点灯及び消灯の制御例を示す図である。図４の一例では、１秒ごとに照度検出部１４により照度が検出され、検出された照度と、点灯判定値とに基づき、警報器１が設置された場所が暗くなったと判定された場合、常夜灯１７は、設定された輝度で点灯する。常夜灯１７が点灯後も１秒ごとに照度検出部１４により照度が検出され、検出された照度と、消灯判定値とに基づき、警報器１が設置された場所が明るくなったと判定された場合、常夜灯１７は、消灯する。なお、常夜灯１７点灯時、不図示の電源ＬＥＤは点灯状態を維持する。また、警報器１が、警報中、故障中及び有効期限切れの何れかである場合、常夜灯１７の制御は機能しない。初期遅延中、常夜灯１７は、輝度調整のために点灯状態を維持する。ただし、常夜灯１７は消灯設定であれば消灯する。
【００２０】
図４（Ａ）は、常夜灯１７の点灯から１秒後の照度が３Ｌｕｘ以上であるため消灯判定値が第一判定値から第二判定値に引き上げられたときの常夜灯１７の制御例を示す。図４（Ａ）に示すように、常夜灯１７の点灯開始から２秒後には照度は４Ｌｕｘ以上である。よって、常夜灯１７の点灯開始から２秒経過後、常夜灯１７は制御部１９により消灯制御されている。図４（Ｂ）は、常夜灯１７の点灯１秒後の照度が３Ｌｕｘ以上であるため消灯判定値が第一判定値から第二判定値に引き上げられたときの常夜灯１７の制御例を示す。図４（Ｂ）に示すように、常夜灯１７の点灯開始から３秒後に照度は４Ｌｕｘ以上となる。よって、常夜灯１７の点灯開始から３秒経過後、常夜灯１７は制御部１９により消灯制御されている。図４（Ｃ）は、常夜灯１７の点灯１秒後の照度が３Ｌｕｘ未満であるため消灯判定値は引き上げられず第一判定値が設定されたときの常夜灯１７の制御例を示す。図４（Ｃ）に示すように、常夜灯１７の点灯開始から４秒後に照度は３Ｌｕｘ以上となる。よって、常夜灯１７の点灯開始から４秒経過後、常夜灯１７は、制御部１９により消灯制御されている。
【００２１】
図５は、本開示を適用した実施形態１に係る常夜灯１７の制御例を説明するフローチャートである。ステップＳ１１において、制御部１９は、警報器１が警報中、故障中及び有効期限切れの何れかであるか否かを判定する。制御部１９は、警報器１が警報中、故障中及び有効期限切れの何れかであると判定する場合（ステップＳ１１；Ｙ）、ステップＳ１７の処理に移行し、ステップＳ１７において、常夜灯１７を消灯させ、ステップＳ１１の処理に戻る。制御部１９は、警報器１が警報中、故障中及び有効期限切れの何れでもないと判定する場合（ステップＳ１１：Ｎ）、ステップＳ１２の処理に移行する。
【００２２】
ステップＳ１２において、制御部１９は、１秒経過したか否かを判定する。制御部１９は、１秒経過したと判定する場合（ステップＳ１２；Ｙ）、ステップＳ１３の処理に移行する。制御部１９は、１秒経過していないと判定する場合（ステップＳ１２；Ｎ）、ステップＳ１１の処理に戻る。なお、１秒経過したか否かの計時処理は、ＣＰＵ１９３が実行するプログラムにより実現するものであってもよく、布線論理回路により実現するものであってもよい。ステップＳ１３において、制御部１９は、照度検出部１４の検出値を取得する。照度検出部１４の検出値は、照度であり、照度検出部１４は警報器１の構成要素であるので、制御部１９は、警報器１の周囲の照度を取得する。ステップＳ１４において、制御部１９は、常夜灯１７が点灯中であるか否かを判定する。制御部１９は、常夜灯１７が点灯中であると判定する場合（ステップＳ１４；Ｙ）、ステップＳ１８の処理に移行する。制御部１９は、常夜灯１７が点灯中でないと判定する場合（ステップＳ１４；Ｎ）、ステップＳ１５の処理に移行する。
【００２３】
ステップＳ１５において、制御部１９は、照度が１Ｌｕｘ未満であるか否かを判定する。制御部１９は、照度が１Ｌｕｘ未満であると判定する場合（ステップＳ１５；Ｙ）、ステップＳ１６の処理に移行し、ステップＳ１６において、常夜灯１７を点灯させ、ステップＳ１１に戻る。制御部１９は、照度が１Ｌｕｘ以上であると判定する場合（ステップＳ１５；Ｎ）、ステップＳ１１の処理に戻る。なお、１Ｌｕｘは、図３，４を用いて説明した点灯判定値であり、上記と同様に数値は一例であり、特にこれに限定されるものではない。
【００２４】
ステップＳ１８において、制御部１９は、点灯後１回目の判定であるか否かを判定する。制御部１９は、点灯後１回目の判定であると判定する場合（ステップＳ１８；Ｙ）、ステップＳ１９の処理に移行する。制御部１９は、点灯後１回目の判定でないと判定する場合（ステップＳ１８；Ｎ）、ステップＳ２２の処理に移行する。なお、制御部１９は、例えば、判定回数フラグをＲＡＭ１９２に保持し、常夜灯１７が点灯後１回目の判定のときに判定回数フラグを更新し、その判定回数フラグを参照することで、ステップＳ１８の判定処理を実行すればよい。
【００２５】
ステップＳ１９において、制御部１９は、照度が３Ｌｕｘ以上であるか否かを判定する。制御部１９は、照度が３Ｌｕｘ以上であると判定する場合（ステップＳ１９；Ｙ）、ステップＳ２０の処理に移行し、ステップＳ２０において、消灯判定値を４Ｌｕｘに設定し、ステップＳ２２の処理に移行する。制御部１９は、照度が３Ｌｕｘ未満であると判定する場合（ステップＳ１９；Ｎ）、ステップＳ２１の処理に移行し、ステップＳ２１において、消灯判定値を３Ｌｕｘに設定し、ステップＳ２２の処理に移行する。なお、ステップＳ２１の３Ｌｕｘは、図３を用いて説明した第一判定値に相当する。また、ステップＳ２０の４Ｌｕｘは、図３を用いて説明した第二判定値に相当する。また、ステップＳ１９の３Ｌｕｘは、引上判定値に相当するものであり、第一判定値とは異なる値でもよく、第一判定値及び第二判定値とは独立した別の判定値として設定可能である。
【００２６】
ステップＳ２２において、制御部１９は、照度が消灯判定値以上であるか否かを判定する。消灯判定値は、ステップＳ２０又はステップＳ２１の処理の何れかで設定された値を使用する。制御部１９は、照度が消灯判定値以上であると判定する場合（ステップＳ２２；Ｙ）、ステップＳ２３の処理に移行し、ステップＳ２３において、常夜灯１７を消灯させ、ステップＳ１１の処理に戻る。制御部１９は、照度が消灯判定値未満であると判定する場合（ステップＳ２２；Ｎ）、ステップＳ１１の処理に戻る。
【００２７】
以上の説明から、本実施形態においては、点灯判定値未満で点灯後における常夜灯１７の制御の際、消灯判定値を引き上げるか否かが決定される。よって、警報器１が設置された場所の明るさの誤認識を防ぐことができる。したがって、常夜灯１７の正確な消灯制御をすることができる。
【００２８】
また、本実施形態においては、点灯判定値で点灯後における１回目の照度の判定において、照度検出部１４により検出された照度が引上判定値以上である場合、第一判定値が第二判定値に引き上がる。１回目の照度の判定で照度が引上判定値以上であれば、常夜灯１７で照らされる光に対する通常の反射光よりも明るい照度が検出されている。常夜灯１７で照らされる光に対する通常の反射光よりも明るい照度が検出されているということは、ステンレス鋼板３３等のように常夜灯１７の光を反射する部材が警報器１の周囲に存在していることになる。よって、このような場合には、第一判定値を第二判定値に引き上げることにより、照度を判定する閾値が上がるため、警報器１が設置された場所に合わせた閾値にオフセットされることになる。したがって、警報器１が設置された場所の明るさの誤認識を特に顕著に防ぐことができる。
【００２９】
実施形態２．
実施形態２において、実施形態１と同様の構成及び機能についてはその詳細な説明を省略する。実施形態２は、検出された照度に応じて消灯判定値を引き上げるのではなく、警報器１が設置された場所が明るいときに検出された照度を消灯判定値に設定する点で実施形態１と異なる。図６は、本開示を適用した実施形態２に係る警報器１の周囲の照度に応じて消灯判定値を記憶させる一例を示す図である。
【００３０】
図６に示すように、部屋３０に壁に警報器１が設置され、部屋３０の天井には照明４１が設置されている。図６（Ａ）は、照明４１が点灯中であることを示す。図６（Ａ）のような状態であれば、照明４１により部屋３０が照らされているため、常夜灯１７を点灯する必要がない。よって、常夜灯１７は消灯制御される。したがって、図６（Ａ）のような状態になったときに常夜灯１７が消灯されるように消灯判定値が設定されればよい。つまり、図６（Ａ）に示すように、照明４１が点灯中のときの照度を警報器１に記憶させればよい。
【００３１】
一方、図６（Ｂ）は、照明４１が消灯中であることを示す。図６（Ｂ）のような状態であれば、照明４１により部屋３０が照らされていないため、常夜灯１７を点灯する必要がある。よって、常夜灯１７は点灯制御される。したがって、図６（Ｂ）のような状態になったときに常夜灯１７が点灯されるように点灯判定値が設定されればよい。つまり、図６（Ｂ）に示すように、照明４１が消灯中のときの照度を警報器１に記憶させればよい。
【００３２】
図７は、本開示を適用した実施形態２に係る警報器１の消灯判定値及び点灯判定値の設定処理を説明するフローチャートである。ステップＳ４１において、制御部１９は、部屋３０の照明４１が点灯中である旨が入力されたか否かを判定する。入力は、操作部１１を介して行われればよく、以降の処理においても同様である。制御部１９は、部屋３０の照明４１が点灯中である旨が入力されたと判定する場合（ステップＳ４１；Ｙ）、ステップＳ４２の処理に移行する。制御部１９は、部屋３０の照明４１が点灯中である旨が入力されていないと判定する場合（ステップＳ４１；Ｎ）、ステップＳ４４の処理に移行する。
【００３３】
ステップＳ４２において、制御部１９は、照度検出部１４の検出値を記憶させる旨の指示があるか否かを判定する。照度検出部１４の検出値は、照度であるので、図６に示すように警報器１が設置された部屋３０の照度を記憶させるか否かが判定される。具体的には、制御部１９は、照度検出部１４の検出値を記憶させる旨の指示があると判定する場合（ステップＳ４２；Ｙ）、ステップＳ４３の処理に移行する。制御部１９は、照度検出部１４の検出値を記憶させる旨の指示がないと判定する場合（ステップＳ４２；Ｎ）、ステップＳ４２の処理を継続する。ステップＳ４３において、制御部１９は、照度検出部１４の検出値を消灯判定値に設定し、設定処理を終了する。つまり、制御部１９は、部屋３０の照明４１が点灯中の部屋３０の照度を消灯判定値に設定する。
【００３４】
ステップＳ４４において、制御部１９は、部屋３０の照明４１が消灯中である旨が入力されたか否かを判定する。制御部１９は、部屋３０の照明４１が消灯中である旨が入力されたと判定する場合（ステップＳ４４；Ｙ）、ステップＳ４５の処理に移行する。制御部１９は、部屋３０の照明４１が消灯中である旨が入力されていないと判定する場合（ステップＳ４４；Ｎ）、ステップＳ４７の処理に移行する。ステップＳ４５において、制御部１９は、照度検出部１４の検出値を記憶させる旨の指示があるか否かを判定する。制御部１９は、照度検出部１４の検出値を記憶させる旨の指示があると判定する場合（ステップＳ４５；Ｙ）、ステップＳ４６の処理に移行する。制御部１９は、照度検出部１４の検出値を記憶させる旨の指示がないと判定する場合（ステップＳ４５；Ｎ）、ステップＳ４５の処理を継続する。ステップＳ４６において、制御部１９は、照度検出部１４の検出値を点灯判定値に設定し、設定処理を終了する。つまり、制御部１９は、部屋３０の照明４１が消灯中の部屋３０の照度を点灯判定値に設定する。
【００３５】
ステップＳ４７において、制御部１９は、常夜灯１７が点滅中であるか否かを判定する。制御部１９は、常夜灯１７が点滅中であると判定する場合（ステップＳ４７；Ｙ）、ステップＳ４８の処理に移行し、ステップＳ４８において、点滅処理を実行し、設定処理を終了する。なお、点滅処理は、図９を用いて後述する。制御部１９は、常夜灯１７が点滅中でないと判定する場合（ステップＳ４７；Ｎ）、設定処理を終了する。
【００３６】
以上の説明から、本実施形態においては、警報器１が設置された部屋３０の照明４１が点灯中、照度検出部１４により検出された照度が消灯判定値に設定可能であり、警報器１が設置された部屋３０の照明４１が消灯中、照度検出部１４により検出された照度が点灯判定値に設定可能である。よって、警報器１が実際に設置された部屋３０の照度に応じて各判定値が設定される。したがって、点灯判定値で点灯後における照度の判定において、適切な判定値が設定されているため、部屋３０の明るさの誤認識を特に顕著に防ぐことができる。
【００３７】
実施形態３．
実施形態３において、実施形態１，２と同様の構成及び機能についてはその詳細な説明を省略する。実施形態３は、消灯判定値を引き上げる条件が実施形態１と異なる。図８は、本開示を適用した実施形態３に係る照度検出部１４の検出結果の一例を示す図である。図８に示すように、一定時間内に常夜灯１７が点灯及び消灯を繰り返す動作を行う場合がある。このような場合、照度検出部１４は、強い反射光を検出していると想定される。よって、例えば、設定閾値を定めておき、設定閾値回連続で常夜灯１７が点灯及び消灯を繰り返した場合、消灯判定値を引き上げる。図８の一例では、設定閾値は５に設定されている。よって、５回連続で点灯及び消灯を繰り返した場合、消灯判定値を引き上げる処理が実行されている。
【００３８】
図９は、本開示を適用した実施形態３に係る点滅処理を説明するフローチャートである。ステップＳ６１において、制御部１９は、点灯及び消灯が設定閾値回連続で繰り返したか否かを判定する。制御部１９は、点灯及び消灯が設定閾値回連続で繰り返したと判定する場合（ステップＳ６１；Ｙ）、ステップＳ６２の処理に移行し、ステップＳ６２において、消灯判定値を引き上げ、点滅処理を終了する。制御部１９は、点灯及び消灯が設定閾値回連続で繰り返していないと判定する場合（ステップＳ６１；Ｎ）、点滅処理を終了する。なお、点灯及び消灯の繰り返し回数は、例えば、ＲＡＭ１９２に一時記憶させておけばよい。また、実施形態１と同様に、第一判定値を第二判定値に引き上げればよい。具体的には、例えば消灯判定値を３Ｌｕｘから４Ｌｕｘに引き上げればよい。
【００３９】
以上の説明から、本実施形態においては、点灯判定値で点灯後における照度の判定において、常夜灯１７が一定時間内に点灯と消灯とを繰り返す動作を行った場合、第一判定値が第二判定値に引き上がる。一定時間内に点灯と消灯とを繰り返す動作が常夜灯１７により行われたのであれば、照度検出部１４は、強い反射光を検出している。強い反射光が検出されているということは、ステンレス鋼板３３等のように常夜灯１７の光を反射する部材が警報器１の周囲に存在していることになる。よって、このような場合には、第一判定値を第二判定値に引き上げることにより、照度を判定する閾値が上がるため、警報器１が設置された場所に合わせた閾値にオフセットされることになる。したがって、警報器１が設置された場所の明るさの誤認識を特に顕著に防ぐことができる。
【００４０】
以上、本開示を適用した警報器１を実施形態に基づいて説明したが、本開示はこれに限定されるものではなく、本開示の趣旨を逸脱しない範囲で、変更を加えてもよい。
【００４１】
例えば、本実施形態においては、警報器１が商用電源から供給される電力によって動作する一例について説明したが、特にこれに限定されない。例えば、警報器１は、一次電池又は二次電池から供給される電力によって動作するものであってもよい。
【００４２】
また、本実施形態においては、警報器１がガス漏れ又は火災の発生を検出して警報を行うものである一例について説明したが、特にこれに限定されない。例えば、警報器１は一酸化炭素漏れを検出して警報を行うものであってもよい。
【符号の説明】
【００４３】
１  警報器、１１  操作部、１２  火災検出部、１３  ガス検出部
１４  照度検出部、１６  報知部、１７  常夜灯、１９  制御部
１９１  ＲＯＭ、１９２  ＲＡＭ、１９３  ＣＰＵ
３０  部屋、３１  壁面、３３  ステンレス鋼板
４１  照明
【図１】
2020042930.tif 000003
【図２】
2020042930.tif 000004
【図３】
2020042930.tif 000005
【図４】
2020042930.tif 000006
【図５】
2020042930.tif 000007
【図６】
2020042930.tif 000008
【図７】
2020042930.tif 000009
【図８】
2020042930.tif 000010
【図９】
2020042930.tif 000011